(57)【要約】【課題】  推論により得られた各構成要素間の関連情報を含めてシステム全体の構成の管理を行うことが可能な構成管理方法及びこれを用いた管理装置を実現する。【解決手段】  分散コンピューティング環境下に存在するネットワーク機器や当該ネットワーク機器で動作するアプリケーションの構成を管理する構成管理方法であって、構成管理装置が、ネットワーク機器やアプリケーションから稼動状態が変化した旨の通知があった、或いは、構成情報の登録若しくは削除を行う入力があった場合に、登録若しくは削除すべき構成情報を構成情報データベースに格納若しくは構成情報データベースから削除し、構成更新作業情報に基づき推論される関連情報を生成して推論された関連情報を構成情報データベースに格納若しくは構成情報データベースから削除する。【選択図】                    図１
2006221400.tif 000002
【特許請求の範囲】
【請求項１】
分散コンピューティング環境下に存在するネットワーク機器や当該ネットワーク機器で動作するアプリケーションの構成を管理する構成管理方法であって、
構成管理装置が、前記ネットワーク機器や前記アプリケーションから稼動状態が変化した旨の通知があった、或いは、構成情報の登録若しくは削除を行う入力があった場合に、登録若しくは削除すべき構成情報を構成情報データベースに格納若しくは前記構成情報データベースから削除し、
構成更新作業情報に基づき推論される関連情報を生成して推論された関連情報を前記構成情報データベースに格納若しくは前記構成情報データベースから削除することを特徴とする構成管理方法。
【請求項２】
前記構成情報データベースは、
前記アプリケーションに対応するアプリケーションノード、前記ネットワーク機器に対応する機器ノード、アプリケーション間通信関連情報、アプリケーション・ネットワーク機器間関連情報、ネットワーク機器間関連情報、アプリケーション間通信発生関連情報とから構成されたことを特徴とする
請求項１記載の構成管理方法。
【請求項３】
前記構成管理装置が、
稼動状態が変化した旨の通知があった、或いは、構成情報の登録若しくは削除を行う入力があった場合には前記構成更新作業情報を生成し、
登録若しくは削除すべき構成情報を前記構成情報データベースに格納若しくは前記構成情報データベースから削除し、
前記構成更新作業情報に基づき推論される関連情報を生成し、
推論された前記関連情報を前記構成情報データベースに格納若しくは前記構成情報データベースから削除することを特徴とする
請求項２記載の構成管理方法。
【請求項４】
前記構成更新作業情報が、
前記アプリケーションノード、前記機器ノード及び前記関連情報に対する登録若しくは削除に関する情報と、
前記推論に用いられる付属情報とから構成されることを特徴とする
請求項３記載の構成管理方法。
【請求項５】
前記構成管理装置に前記構成情報データベースを検索する検索手段を設けて構成情報データベースを検索することを特徴とする
請求項１乃至請求項４のいずれかに記載の構成管理方法。
【請求項６】
分散コンピューティング環境下に存在するネットワーク機器や当該ネットワーク機器で動作するアプリケーションの構成を管理する構成管理方法を用いた管理装置において、
前記ネットワーク機器や前記アプリケーションから稼動状態が変化した旨の通知を収集する情報収集手段と、
構成情報の登録若しくは削除の入力を行うための入力手段と、
構成情報データベースが格納される記憶手段と、
前記情報収集手段が前記ネットワーク機器や前記アプリケーションから稼動状態が変化した旨の通知を収集した、或いは、前記入力手段からの構成情報の登録若しくは削除を行う入力があった場合に、登録若しくは削除すべき構成情報を前記構成情報データベースに格納若しくは前記構成情報データベースから削除し、構成更新作業情報に基づき推論される関連情報を生成して推論された関連情報を前記構成情報データベースに格納若しくは前記構成情報データベースから削除する構成情報更新手段と
を備えたことを特徴とする管理装置。
【請求項７】
前記構成情報データベースは、
前記アプリケーションに対応するアプリケーションノード、前記ネットワーク機器に対応する機器ノード、アプリケーション間通信関連情報、アプリケーション・ネットワーク機器間関連情報、ネットワーク機器間関連情報、アプリケーション間通信発生関連情報とから構成されたことを特徴とする
請求項６記載の管理装置。
【請求項８】
前記構成情報更新手段が、
稼動状態が変化した旨の通知があった、或いは、構成情報の登録若しくは削除を行う入力があった場合には前記構成更新作業情報を生成し、
登録若しくは削除すべき構成情報を前記構成情報データベースに格納若しくは前記構成情報データベースから削除し、
前記構成更新作業情報に基づき推論される関連情報を生成し、
推論された前記関連情報を前記構成情報データベースに格納若しくは前記構成情報データベースから削除することを特徴とする
請求項７記載の管理装置。
【請求項９】
前記構成更新作業情報が、
前記アプリケーションノード、前記機器ノード及び前記関連情報に対する登録若しくは削除に関する情報と、
前記推論に用いられる付属情報とから構成されることを特徴とする
請求項８記載の管理装置。
【請求項１０】
前記構成情報更新手段が、
前記記憶手段に格納された前記構成情報データベースを検索する検索機能を設けて構成情報データベースを検索することを特徴とする
請求項６乃至請求項９のいずれかに記載の管理装置。
【発明の詳細な説明】
【技術分野】
【０００１】
本発明は、分散コンピューティング環境下に存在するネットワーク機器や当該ネットワーク機器で動作するアプリケーションの構成を管理する構成管理方法及びこれを用いた管理装置に関し、特に推論により得られた各構成要素間の関連情報を含めてシステム全体の構成の管理を行うことが可能な構成管理方法及びこれを用いた管理装置に関する。
【背景技術】
【０００２】
従来の分散コンピューティング環境下では、その環境を構成しているコンピュータ等のネットワーク機器である構成要素は多種、多様であり、当該ネットワーク機器上で動作するアプリケーションもまた多種多様となる。
【０００３】
そして、分散コンピューティング環境下では、システムの構成管理としてネットワーク機器構成を管理したり、アプリケーション構成を管理したりしている。従来のこのような構成管理方法等に関連する先行技術文献としては次のようなものがある。
【０００４】
【特許文献１】特開平０６−０９６０３４号公報
【特許文献２】特開平０８−１３７８１０号公報
【特許文献３】特開平１１−２４９９４３号公報
【特許文献４】特表２００２−５０８５５５号公報
【特許文献５】特開２００３−１２２８７９号公報
【０００５】
図７はこのような従来の分散コンピューティング環境下においてネットワーク機器構成の管理を行うネットワーク構成管理システムの一例を示す構成ブロック図である。図７において１，２，３及び４はネットワーク機器、５はネットワーク機器の構成を管理するコンピュータ等のネットワーク構成管理装置、１００はＬＡＮ（Local Area Network）インターネット、イントラネット等の汎用のネットワークである。
【０００６】
ネットワーク機器１，２，３及び４はそれぞれネットワーク１００に相互に接続され、ネットワーク構成管理装置５もまたネットワーク１００に相互に接続される。
【０００７】
ここで、図７に示す従来例の動作を説明する。ネットワーク構成管理装置５はネットワーク１００を介して各ネットワーク機器１〜４からネットワーク機器に関連するＩＰ（Internet Protocol）アドレス、ＭＡＣ（Media Access Control Address）アドレスやその他各種情報を収集しデータベース等として管理することにより、システムを構成するネットワーク機器の構成を管理する。
【０００８】
一方、図８はこのような従来の分散コンピューティング環境下において各ネットワーク機器上で動作するアプリケーションの構成の管理を行うアプリケーション構成管理システムの一例を示す構成ブロック図である。
【０００９】
図８において６，８及び９はデータベースのアプリケーション、７，１０及び１１はその他のアプリケーション、１２はネットワーク機器上で動作するアプリケーションの構成を管理するコンピュータ等のアプリケーション構成管理装置である。
【００１０】
データベースのアプリケーション６はアプリケーション７と関連し、アプリケーション７はさらにデータベースのアプリケーション８とアプリケーション１０と関連している。また、データベースのアプリケーション８はアプリケーション１１と関連し、アプリケーション１０はデータベースのアプリケーション９とアプリケーション１１と関連している。また、アプリケーション構成管理装置１２はアプリケーション１０と関連している。
【００１１】
ここで、図８に示す従来例の動作を説明する。アプリケーション構成管理装置１２は、アプリケーション間の通信等を用いて各種アプリケーション６〜１１に関連する他各種情報を収集しデータベース等として管理すると共に上述のようなアプリケーション間の関連もまた収集してデータベース等として管理することにより、システムを構成するネットワーク機器上で動作するアプリケーションの構成を管理する。
【発明の開示】
【発明が解決しようとする課題】
【００１２】
しかし、図７及び図８に示す従来例では、アプリケーションやネットワーク機器と言った扱う構成要素が属するアプリケーション構成管理システムと、ネットワーク機器構成管理システムとがそれぞれ異なったシステムとして動作しているので、システム全体しての構成を把握しにくくなってしまうと言った問題点があった。
【００１３】
すなわち、図９はアプリケーション構成管理システムとネットワーク機器構成管理システムとの相互関係を示す説明図であり、図９において１，２，３，４，５，６，７，８，９，１０及び１１は図７若しくは図８と同一符号を付してある。
【００１４】
図９中”ＲＬ０１”に示すようにネットワーク機器１とデータベースのアプリケーション６及びアプリケーション８が関連しており、また、図９中”ＲＬ０２”に示すようにネットワーク機器２とデータベースのアプリケーション９及びアプリケーション１０が関連していたとしても、図７及び図８に示す従来例からではこのような関連を把握することはできないと言った問題点があった。
【００１５】
また、例えば、或るネットワーク機器の停止がどのアプリケーションの停止の影響によるものなのか、或いは、或るアプリケーションの停止はどのネットワーク機器の停止に起因するものなのかを把握することは更に困難であると言った問題点があった。
従って本発明が解決しようとする課題は、推論により得られた各構成要素間の関連情報を含めてシステム全体の構成の管理を行うことが可能な構成管理方法及びこれを用いた管理装置を実現することにある。
【課題を解決するための手段】
【００１６】
このような課題を達成するために、本発明のうち請求項１記載の発明は、
分散コンピューティング環境下に存在するネットワーク機器や当該ネットワーク機器で動作するアプリケーションの構成を管理する構成管理方法であって、構成管理装置が、前記ネットワーク機器や前記アプリケーションから稼動状態が変化した旨の通知があった、或いは、構成情報の登録若しくは削除を行う入力があった場合に、登録若しくは削除すべき構成情報を構成情報データベースに格納若しくは前記構成情報データベースから削除し、構成更新作業情報に基づき推論される関連情報を生成して推論された関連情報を前記構成情報データベースに格納若しくは前記構成情報データベースから削除することにより、推論により得られた各構成要素間の関連情報を含めてシステム全体の構成の管理を行うことが可能になる。
【００１７】
請求項２記載の発明は、
請求項１記載の発明である構成管理方法であって、
前記構成情報データベースは、
前記アプリケーションに対応するアプリケーションノード、前記ネットワーク機器に対応する機器ノード、アプリケーション間通信関連情報、アプリケーション・ネットワーク機器間関連情報、ネットワーク機器間関連情報、アプリケーション間通信発生関連情報とから構成されたことにより、推論により得られた各構成要素間の関連情報を含めてシステム全体の構成の管理を行うことが可能になる。
【００１８】
請求項３記載の発明は、
請求項２記載の発明である構成管理方法であって、
前記構成管理装置が、
稼動状態が変化した旨の通知があった、或いは、構成情報の登録若しくは削除を行う入力があった場合には前記構成更新作業情報を生成し、登録若しくは削除すべき構成情報を前記構成情報データベースに格納若しくは前記構成情報データベースから削除し、前記構成更新作業情報に基づき推論される関連情報を生成し、推論された前記関連情報を前記構成情報データベースに格納若しくは前記構成情報データベースから削除することにより、推論により得られた各構成要素間の関連情報を含めてシステム全体の構成の管理を行うことが可能になる。
【００１９】
請求項４記載の発明は、
請求項３記載の発明である構成管理方法であって、
前記構成更新作業情報が、
前記アプリケーションノード、前記機器ノード及び前記関連情報に対する登録若しくは削除に関する情報と、前記推論に用いられる付属情報とから構成されることにより、推論により得られた各構成要素間の関連情報を含めてシステム全体の構成の管理を行うことが可能になる。
【００２０】
請求項５記載の発明は、
請求項１乃至請求項４のいずれかに記載の発明である構成管理方法であって、
前記構成管理装置に前記構成情報データベースを検索する検索手段を設けて構成情報データベースを検索することにより、アプリケーションの把握、ネットワーク機器の把握、関連情報を把握することが可能になる。また、アプリケーションのエラーであるかネットワーク機器の異常であるかを切り分けるための構成情報を容易に取得可能になり、また、ネットワークエラーやネットワーク機器異常時等において影響を受けるアプリケーションを把握することが可能になる。
【００２１】
請求項６記載の発明は、
分散コンピューティング環境下に存在するネットワーク機器や当該ネットワーク機器で動作するアプリケーションの構成を管理する構成管理方法を用いた管理装置において、
前記ネットワーク機器や前記アプリケーションから稼動状態が変化した旨の通知を収集する情報収集手段と、構成情報の登録若しくは削除の入力を行うための入力手段と、構成情報データベースが格納される記憶手段と、前記情報収集手段が前記ネットワーク機器や前記アプリケーションから稼動状態が変化した旨の通知を収集した、或いは、前記入力手段からの構成情報の登録若しくは削除を行う入力があった場合に、登録若しくは削除すべき構成情報を前記構成情報データベースに格納若しくは前記構成情報データベースから削除し、構成更新作業情報に基づき推論される関連情報を生成して推論された関連情報を前記構成情報データベースに格納若しくは前記構成情報データベースから削除する構成情報更新手段とを備えたことにより、推論により得られた各構成要素間の関連情報を含めてシステム全体の構成の管理を行うことが可能になる。
【００２２】
請求項７記載の発明は、
請求項６記載の発明である管理装置において、
前記構成情報データベースは、
前記アプリケーションに対応するアプリケーションノード、前記ネットワーク機器に対応する機器ノード、アプリケーション間通信関連情報、アプリケーション・ネットワーク機器間関連情報、ネットワーク機器間関連情報、アプリケーション間通信発生関連情報とから構成されたことにより、推論により得られた各構成要素間の関連情報を含めてシステム全体の構成の管理を行うことが可能になる。
【００２３】
請求項８記載の発明は、
請求項７記載の発明である管理装置において、
前記構成情報更新手段が、
稼動状態が変化した旨の通知があった、或いは、構成情報の登録若しくは削除を行う入力があった場合には前記構成更新作業情報を生成し、登録若しくは削除すべき構成情報を前記構成情報データベースに格納若しくは前記構成情報データベースから削除し、前記構成更新作業情報に基づき推論される関連情報を生成し、推論された前記関連情報を前記構成情報データベースに格納若しくは前記構成情報データベースから削除することにより、推論により得られた各構成要素間の関連情報を含めてシステム全体の構成の管理を行うことが可能になる。
【００２４】
請求項９記載の発明は、
請求項８記載の発明である管理装置において、
前記構成更新作業情報が、
前記アプリケーションノード、前記機器ノード及び前記関連情報に対する登録若しくは削除に関する情報と、前記推論に用いられる付属情報とから構成されることにより、推論により得られた各構成要素間の関連情報を含めてシステム全体の構成の管理を行うことが可能になる。
【００２５】
請求項１０記載の発明は、
請求項６乃至請求項９のいずれかに記載の発明である管理装置において、
前記構成情報更新手段が、
前記記憶手段に格納された前記構成情報データベースを検索する検索機能を設けて構成情報データベースを検索することにより、アプリケーションの把握、ネットワーク機器の把握、関連情報を把握することが可能になる。また、アプリケーションのエラーであるかネットワーク機器の異常であるかを切り分けるための構成情報を容易に取得可能になり、また、ネットワークエラーやネットワーク機器異常時等において影響を受けるアプリケーションを把握することが可能になる。
【発明の効果】
【００２６】
本発明によれば次のような効果がある。
請求項１，２，３，４，６，７，８及び請求項９の発明によれば、構成管理装置が、稼動状態が変化した旨の通知があった、或いは、入力手段から構成情報の登録若しくは削除を行う入力があった場合に、登録等すべき構成情報を構成情報データベースに格納等し、構成更新作業情報に基づき推論される関連情報を生成して推論された関連情報を構成情報データベースに格納等することにより、推論により得られた各構成要素間の関連情報を含めてシステム全体の構成の管理を行うことが可能になる。
【００２７】
また、例えば、或るネットワーク機器の停止がどのアプリケーションの停止の影響によるものなのか、或いは、或るアプリケーションの停止はどのネットワーク機器の停止に起因するものなのかを把握することが可能になる。
【００２８】
また、請求項５及び請求項１０の発明によれば、構成管理装置に記憶手段に格納された構成情報データベースを検索する検索手段、或いは、検索機能を設けて構成情報データベースを検索することにより、アプリケーションの把握、ネットワーク機器の把握、関連情報を把握することが可能になる。また、アプリケーションのエラーであるかネットワーク機器の異常であるかを切り分けるための構成情報を容易に取得可能になり、また、ネットワークエラーやネットワーク機器異常時等において影響を受けるアプリケーションを把握することが可能になる。
【発明を実施するための最良の形態】
【００２９】
以下本発明を図面を用いて詳細に説明する。図１は本発明に係る構成管理方法を用いた管理装置の一実施例を示す構成ブロック図である。
【００３０】
図１において１３はユーザインターフェース等のユーザの操作により構成情報の登録若しくは削除を行うための入力手段、１４はシステムを構成するネットワーク機器やアプリケーション等の構成要素から稼動状態の変化した旨の通知を収集する情報収集手段、１５は入力手段１３及び情報収集手段１４からの構成更新作業情報に基づき推論された構成情報を生成し併せて構成情報データベースに格納更新する構成情報更新手段、１６は構成情報データベースが格納されているハードディスク等の記憶手段である。また、１３，１４，１５及び１６は構成管理装置５０を構成している。
【００３１】
情報収集手段１４には、システムを構成するネットワーク機器やアプリケーション等の構成要素から稼動状態の変化通知が入力され、入力手段１３及び情報収集手段１４の出力はそれぞれ構成情報更新手段１５に接続される。構成情報更新手段１５の出力は記憶手段１６に相互に接続される。
【００３２】
ここで、図１に示す実施例の動作を図２、図３、図４、図５及び図６を用いて説明する。図２はシステムを構成するネットワーク機器やアプリケーション等の構成要素の関連の一例を示す説明図、図３は構成情報データベースの内容の一例を示す説明図、図４はシステムを構成するネットワーク機器やアプリケーション等の構成要素の動作を説明するフロー図、図５は稼動状態が変化した旨の通知等の流れを説明する説明図、図６は構成管理装置５０の動作を説明するフロー図である。
【００３３】
図２において１７，１８及び２０はデータベースのアプリケーション、１９，２１及び２２はその他のアプリケーション、２３及び２４はネットワーク機器、２５は構成管理装置である。
【００３４】
データベースのアプリケーション１７はアプリケーション１９と関連し、アプリケーション１９はさらにデータベースのアプリケーション１８とアプリケーション２１と関連している。また、データベースのアプリケーション１８はアプリケーション２２と関連し、アプリケーション２１はデータベースのアプリケーション２０とアプリケーション２２と関連している。
【００３５】
さらに、ネットワーク機器２３上ではデータベースのアプリケーション１７及び１８とアプリケーション１９が動作しており、また、ネットワーク機器２４上ではデータベースのアプリケーション２０とアプリケーション２１及び２２が動作しているものとする。
【００３６】
一方、構成情報データベースでは図３中”ＡＮ１１”、”ＡＮ１２”、”ＡＮ１３”、”ＡＮ１４”、”ＡＮ１５”及び”ＡＮ１６”に示すようなアプリケーションノード（アプリケーション１７，１８，１９，２０，２１及び２２に相当。）と、図３中”ＥＮ１１”及び”ＥＮ１２”に示す機器ノード（ネットワーク機器２３及び２４に相当。）が存在し、図３中”ＲＬ１１”、”ＲＬ１２”、”ＲＬ１３”、”ＲＬ１４”、”ＲＬ１５”及び”ＲＬ１６”に示すようなアプリケーション間の関連情報（アプリケーション間通信関連情報）が記憶されている。
【００３７】
図４中”Ｓ００１”においてはシステムを構成するネットワーク機器やアプリケーション等の構成要素（以下、単に構成要素と呼ぶ。）は、自らの稼動状態が変化したか否かを判断し、もし、稼動状態が変化したと判断した場合には、図４中”Ｓ００２”において構成要素は、情報収集手段１４に稼動状態が変化した旨の通知をする。
【００３８】
例えば、構成要素であるネットワーク機器２３の稼動状態が”起動”若しくは”停止”に変化した場合には、ネットワーク機器２３は図５中”ＥＭ２１”に示すように稼動状態が変化した旨の通知を行う。
【００３９】
同様に、例えば、構成要素であるアプリケーション２１の稼動状態が”起動”若しくは”停止”に変化した場合には、アプリケーション２１は図５中”ＥＭ２２”に示すように稼動状態が変化した旨の通知を行う。
【００４０】
一方、図６中”Ｓ１０１”において構成管理装置５０は、情報収集手段１４を介して稼動状態が変化した旨の通知があったか否かを判断し、或いは、図５中”ＥＭ２３”に示すように構成管理装置５０の入力手段１３から構成情報の登録若しくは削除を行う入力があったか否かを判断し、もし、稼動状態が変化した旨の通知等があったと判断した場合には、図６中”Ｓ１０２”において構成管理装置５０は構成更新作業情報を生成する。
【００４１】
ここで、構成更新作業情報とは、アプリケーションノード、機器ノード及び関連情報に対する登録若しくは削除に関する情報と、付属情報とから構成され、例えば、付属情報としては「起動若しくは停止したネットワーク機器のＩＰアドレス」、「起動したアプリケーションのＩＤと動作しているネットワーク機器のＩＰアドレス」及び「アプリケーションから他のアプリケーションへの接続確立の情報」等がある。
【００４２】
図６中”Ｓ１０３”において構成管理装置５０は、登録若しくは削除すべき構成情報（更新された情報）を構成情報データベースに格納若しくは構成情報データベースから削除し、図６中”Ｓ１０４”において構成管理装置５０は、構成更新作業情報に基づき推論される関連情報を生成して、図６中”Ｓ１０５”において構成管理装置５０は、推論された関連情報を構成情報データベースに格納若しくは構成情報データベースから削除する。
【００４３】
例えば、構成更新作業情報に「起動したアプリケーションのＩＤと動作しているネットワーク機器のＩＰアドレス」が記述されていた場合には、構成管理装置５０は、記載されたＩＰアドレスを有するネットワーク機器と、記載されたＩＤで起動されたアプリケーションとの間には関連情報（アプリケーション・ネットワーク機器間関連情報）があると推論されるので、このように推論された関連情報を構成情報データベースに追加する。
【００４４】
具体的には、記載されたＩＰアドレスを有するネットワーク機器に対応するのが、図３中”ＥＮ１１”に示す機器ノードであり、記載されたＩＤで起動されたアプリケーション対応するのが、図３中”ＡＮ１３”に示すアプリケーションノードである場合、図３中”ＳＲ１１”に示すような推論された関連情報（アプリケーション・ネットワーク機器間関連情報）を構成情報データベースに追加する。
【００４５】
また、例えば、構成更新作業情報に「アプリケーションから他のアプリケーションへの接続確立の情報」が記述されていた場合には、構成管理装置５０は、２つのアプリケーションが動作しているネットワーク機器の間には関連情報があると推論されるので、このように推論された関連情報（ネットワーク機器間関連情報）を構成情報データベースに追加する。
【００４６】
具体的には、２つのアプリケーションが動作しているネットワーク機器の間に対応するのが、図３中”ＥＮ１１”及び”ＥＮ１２”に示す機器ノードである場合、図３中”ＳＲ１２”に示すような推論された関連情報（ネットワーク機器間関連情報）を構成情報データベースに追加する。
【００４７】
このように推論される関連情報としては、アプリケーション間通信関連情報、アプリケーション・ネットワーク機器間関連情報やネットワーク機器間関連情報の他に、図３中”ＳＲ１２”に示すような推論された関連情報（アプリケーション間通信発生関連情報）が存在する。
【００４８】
この結果、構成管理装置５０が、稼動状態が変化した旨の通知があった、或いは、入力手段１３から構成情報の登録若しくは削除を行う入力があった場合に、登録等すべき構成情報を構成情報データベースに格納等し、構成更新作業情報に基づき推論される関連情報を生成して推論された関連情報を構成情報データベースに格納等することにより、推論により得られた各構成要素間の関連情報を含めてシステム全体の構成の管理を行うことが可能になる。
【００４９】
また、例えば、或るネットワーク機器の停止がどのアプリケーションの停止の影響によるものなのか、或いは、或るアプリケーションの停止はどのネットワーク機器の停止に起因するものなのかを把握することが可能になる。
【００５０】
なお、図１に示す実施例において構成管理装置５０に記憶手段１６に格納された構成情報データベースを検索する検索手段、或いは、検索機能を設けて構成情報データベースを検索することにより、アプリケーションの把握、ネットワーク機器の把握、関連情報を把握することが可能になる。
【００５１】
具体的には、アプリケーションのエラーであるかネットワーク機器の異常であるかを切り分けるための構成情報を容易に取得可能になり、また、ネットワークエラーやネットワーク機器異常時等において影響を受けるアプリケーションを把握することが可能になる。
【００５２】
また、図１に示す実施例では分散コンピューティング環境においてアプリケーション構成とネットワーク機器構成とが独立している場合を想定しているが、互いに異なる領域の間で情報を統合して利用する場合にも適用可能である。
【００５３】
また、図１に示す実施例ではシステムを構成するネットワーク機器やアプリケーション等の構成要素が、自らの稼動状態が変化したか否かを判断して情報収集手段への通知を行っていたが、構成要素の稼動状態監視装置を別途設けて構成要素を監視し、当該稼動状態監視装置が情報収集手段への通知を行っても構わない。
【００５４】
また、図１に示す実施例では登録若しくは削除すべき構成情報（更新された構成情報）を構成情報データベースに格納等してから、構成更新作業情報に基づき推論された関連情報を構成情報データベースに格納等しているが、その順番は逆であっても、或いは、同時であっても構わない。
【図面の簡単な説明】
【００５５】
【図１】本発明に係る構成管理方法を用いた管理装置の一実施例を示す構成ブロック図である。
【図２】システムを構成するネットワーク機器やアプリケーション等の構成要素の関連の一例を示す説明図である。
【図３】構成情報データベースの内容の一例を示す説明図である。
【図４】システムを構成するネットワーク機器やアプリケーション等の構成要素の動作を説明するフロー図である。
【図５】稼動状態が変化した旨の通知等の流れを説明する説明図である。
【図６】構成管理装置の動作を説明するフロー図である。
【図７】従来の分散コンピューティング環境下においてネットワーク機器構成の管理を行うネットワーク構成管理システムの一例を示す構成ブロック図である。
【図８】従来の分散コンピューティング環境下において各ネットワーク機器上で動作するアプリケーションの構成の管理を行うアプリケーション構成管理システムの一例を示す構成ブロック図である。
【図９】アプリケーション構成管理システムとネットワーク機器構成管理システムとの相互関係を示す説明図である。
【符号の説明】
【００５６】
１，２，３，４  ネットワーク機器
５，２３，２４  ネットワーク構成管理装置
６，７，８，９，１０，１１，１７，１８，１９，２０，２１，２２  アプリケーション
１２  アプリケーション構成管理装置
１３  入力手段、
１４  情報収集手段
１５  構成情報更新手段
１６  記憶手段
２５，５０  構成管理装置
１００  ネットワーク
【図１】
2006221400.tif 000003
【図２】
2006221400.tif 000004
【図３】
2006221400.tif 000005
【図４】
2006221400.tif 000006
【図５】
2006221400.tif 000007
【図６】
2006221400.tif 000008
【図７】
2006221400.tif 000009
【図８】
2006221400.tif 000010
【図９】
2006221400.tif 000011